(57)【特許請求の範囲】
【請求項１】
誤り訂正符号列の一部ビットを繰り返し送信するレペティション処理が施された信号を受信、復調して軟判定データ列で出力し、繰り返し送信されたビットに応じた軟判定データを加え合わせて元の誤り訂正符号列に応じた軟判定データ列を発生し、該軟判定データ列を用いて誤り訂正符号化前の原データ列を復元する誤り訂正装置において、
レペティション処理により繰り返し送信されたビット位置を求め、該ビット位置に応じた軟判定データを加え合わせて元の誤り訂正符号列に応じた軟判定データ列を発生するレペティション再生器、
レペティション処理を施された受信信号のレペティションレートを算出するレペティションレート算出部、
レペティション再生器が発生する軟判定データよりレペティションレートに基づいて軟判定誤り訂正復号器に入力する軟判定データ部分の切り取り位置を決定する第１の軟判定データ切り取り位置決定部、
決定された切り取り位置より軟判定データ部分を切り取って軟判定誤り訂正復号器に入力する第１の軟判定データ切り取り手段、
を備えたことを特徴とする誤り訂正装置。
【請求項２】
前記レペティションレート算出部は、通信先より通知されるレペティションを施す前のデータビット数Ｎ、レペティションにより繰り返されるビット数ΔＮに基づいて、レペティションレートを計算すること、
を特徴とする請求項１記載の誤り訂正装置。
【請求項３】
前記レペティション再生器は通信先より通知されるレペティションを施す前のデータビット数Ｎ、レペティションにより繰り返されるビット数ΔＮに基づいて、レペティションアルゴリズムを実行して繰り返し送信されたビット位置を求めること、
を特徴とする請求項１記載の誤り訂正装置。
【請求項４】
復調部で復調された軟判定データの平均値を演算する平均値演算部、
該平均値に基づいて前記復調された軟判定データよりレペティション再生器に入力する軟判定データ部分の切り取り位置を決定する第２の軟判定データ切り取り位置決定部、
前記復調された軟判定データより前記決定された切り取り位置に基づいてｍビットの軟判定データ部分を切り取ってレペティション再生器に入力する第２の軟判定データ切り取り手段、
前記レペティションレートと設定値を比較する比較部、
を備え、前記第１の軟判定データ切り取り手段は、レペティションレートが設定値より大きいとき、レペティション再生器が発生する（ｍ＋１）ビットの軟判定データより上位のｍビットを切り取って軟判定誤り訂正復号器に入力し、レペティションレートが設定値より小さいとき、下位のｍビットを切り取って軟判定誤り訂正復号器に入力することを特徴とする請求項１記載の誤り訂正装置。
【請求項５】
復調部で復調された軟判定データの平均値を演算する平均値演算部、
前記レペティションレートと設定値を比較する比較部、
を備え、前記第１の軟判定データ切り取り位置決定部は、レペティションレートと設定値の大小関係及び前記平均値に基づいて、レペティション再生器で発生した軟判定データより軟判定誤り訂正復号器に入力する軟判定データ部分の切り取り位置を決定することを特徴とする請求項１記載の誤り訂正装置。
【請求項６】
誤り訂正符号列の一部ビットを繰り返し送信するレペティション処理が施された信号を受信、復調して軟判定データ列で出力し、繰り返し送信されたビットに応じた軟判定データを加え合わせて元の誤り訂正符号列に応じた軟判定データ列を発生し、該軟判定データ列を用いて誤り訂正符号化前の原データ列を復元する誤り訂正装置において、
レペティション処理により繰り返し送信されたビット位置を求め、該ビット位置に応じた軟判定データを加え合わせて元の誤り訂正符号列に応じた軟判定データ列を発生するレペティション再生器、
レペティション再生器が出力する軟判定データの平均値を算出する平均値算出部、
前記平均値に基づいてレペティション再生器が出力する軟判定データより軟判定誤り訂正復号器に入力する軟判定データ部分の切り取り位置を決定する第１の軟判定データ切り取り位置決定部、
決定された切り取り位置より軟判定データ部分を切り取って軟判定誤り訂正復号器に入力する第１の軟判定データ切り取り手段、
を備えたことを特徴とする誤り訂正装置。
【請求項７】
復調部で復調された軟判定データの平均値（第２の平均値）を演算する平均値演算部、
第２の平均値に基づいて該復調された軟判定データよりレペティション再生器に入力する軟判定データ部分の切り取り位置を決定する第２の軟判定データ切り取り位置決定部、
該復調された軟判定データから前記決定された切り取り位置に基づいてｍビットの軟判定データ部分を切り取ってレペティション再生器に入力する第２の軟判定データ切り取り手段、
レペティション再生器が出力する（ｍ＋１）ビットの軟判定データの平均値（第１の平均値）と設定値の大小を比較する比較部、
を備え、前記第１の軟判定データ切り取り手段は、第１の平均値が設定値より大きいとき、レペティション再生器が発生する（ｍ＋１）ビットの軟判定データより上位のｍビットを切り取って軟判定誤り訂正復号器に入力し、第１の平均値が設定値より小さいとき、下位のｍビットを切り取って軟判定誤り訂正復号器に入力することを特徴とする請求項６記載の誤り訂正装置。
【請求項８】
復調部で復調された軟判定データの平均値（第２の平均値）を演算する平均値演算部、
レペティション再生器が出力する軟判定データの平均値（第１の平均値）と設定値の大小を比較する比較部、
を備え、前記第１の軟判定データ切り取り位置決定部は、第１の平均値と設定値の大小関係及び前記第２の平均値とに基づいて、レペティション再生器で発生した軟判定データより軟判定誤り訂正復号器に入力する軟判定データ部分の切り取り位置を決定することを特徴とする請求項６記載の誤り訂正装置。
【発明の詳細な説明】
【０００１】
【発明の属する技術分野】
本発明は誤り訂正装置に係わり、特に、誤り訂正符号列の一部ビットを繰り返し送信するレペティション処理が施された信号を受信し、該受信信号にレペティション再生処理、誤り訂正復号処理を施して原データ列を復元する誤り訂正装置に関する。
【０００２】
【従来の技術】
誤り訂正符号技術は、受信情報や再生情報などに含まれる誤りを訂正して正しく元の情報を復号できるようにするためのもので、誤り訂正符号として畳み込み符号やターボ符号などが知られており、種々のシステムに適用されている。例えば、CDMA移動通信では図１２に示すように誤り訂正符号化部１において伝送情報に誤り訂正処理を施し、得られた誤り訂正符号をCDMA送信部２で拡散変調してアンテナより送信する。一方、受信側ではCDMA受信部３で逆拡散、レーク合成して得られた軟判定データ列に軟判定誤り訂正復号器４で誤り訂正処理を施し、誤り訂正前の原伝送情報（復号データ）を復号して出力する。尚、軟判定データとは１ビットデータをレベルにより複数ビットで表現したものである。
【０００３】
図１３は移動局におけるCDMA送信機の構成図である。誤り訂正符号化部１は送信データに誤り訂正処理を施してマッピング部２１に入力し、又、コントロールデータ発生部２２はパイロットPILOT等の制御データを発生してマッピング部２２に入力する。マッピング部２１は誤り訂正符号を直交変調の同相成分
（IN-Phase component)データとして所定のシンボルレートで出力すると共に、制御データを直交成分(Quadrature component)データとして一定シンボル速度で出力する。拡散器２３ａ，２３ｂはマッピング部から入力される同相成分（Ｉ成分）,直交成分（Ｑ成分）に所定の拡散コードを用いて拡散変調を施し、拡散データを波形成形用フィルタ２４ａ，２４ｂを介してDA変換器２５ａ，２５ｂに入力する。直交変調回路２６は各DA変換器より出力するＩch信号、Ｑch信号にQPSK直交変調を施し、無線部２７は直交変調回路２６から出力するベースバンド信号を高周波数に周波数変換(IF→RF)すると共に、高周波増幅等を行ってアンテナより送信する。
【０００４】
図１４は基地局のCDMA受信機における１チャンネル分のCDMA受信部の構成図である。無線部３１は、アンテナにより受信した高周波信号をベースバンド信号に周波数変換(RF→IF変換)する。直交検波器３２はベースバンド信号を直交検波し、同相成分（Ｉ成分)データと直交成分（Ｑ成分)データを出力する。直交検波器３２において、３２ａは受信キャリア発生部、３２ｂは受信キャリアの位相をπ/2シフトする位相シフト部、３２ｃ，３２ｄは乗算器でありベースバンド信号に受信キャリアを乗算してＩ成分信号及びＱ成分信号を出力するものである。ローパスフィルタ(LPF)３３ａ，３３ｂは出力信号の帯域を制限し、ＡＤ変換器３５ａ，３５ｂはＩ成分信号、Ｑ成分信号をそれぞれディジタル信号に変換し、サーチャ３６と各フィンガー部３７ａ1〜３７ａ4に入力する。
【０００５】
サーチャ３６はマルチパスの影響を受けた直接拡散信号（DS信号）が入力すると、マッチトフィルタ（図示せず）を用いて自己相関演算を行ってマルチパスを検出し、各パスにおける逆拡散開始のタイミングデータ及び遅延時間調整データをフィンガー部３７ａ1〜３７ａ4に入力する。各フィンガー部３７ａ1〜３７ａ4の逆拡散／遅延時間調整部４１は、所定のパスを介して到来する直接波あるいは遅延波に拡散符号と同じ符号を用いて逆拡散処理を施してダンプ積分し、しかる後、パスに応じた遅延処理を施し、パイロット信号（参照信号）、情報信号を出力する。位相補償部（チャネル推定部）４２はパイロット信号のＩ成分、Ｑ成分をそれぞれ所定スロット数分電圧平均して、チャネル推定信号Ｉt，Ｑtを出力する。同期検波部４３は受信信号に含まれるパイロット信号と既知のパイロット信号間の位相差θに基づいて、逆拡散された情報信号I′、Q′の位相を元に戻す。すなわち、チャネル推定信号Ｉt，Ｑtは位相差θのcos成分、sin成分であるから、同期検波部４３はチャネル推定信号(It，Qt)を用いて次式
【数１】
0003857488.tif 000002
により受信情報信号(I′,Q′)に位相回転処理を施して受信情報信号(I,Q)の復調(同期検波)を行う。RAKE合成部３７ｂは各フィンガー部３７ａ1〜３７ａ4から出力する信号を合成して軟判定データ列として軟判定誤り訂正復号器４(図１２）に出力する。
【０００６】
図１５は移動局から基地局への上り信号のフレームフォーマット説明図であり、1フレームは10msecで、15スロットＳ0〜Ｓ14で構成されている。データ部はQPSK変調の直交するIチャンネルにマッピングされ、データ部以外の部分はQPSK変調の直交するQチャンネルにマッピングされる。データ部分を送るチャンネルは DPDCH(Dedicated Physical Data Channel)と呼ばれ、データ部以外の部分を送るチャンネルはDPCCH(Dedicated Physical Control Channel)と呼ばれる。データ部を送信するDPDCH(Iチャンネル)の各スロットはｎビットで構成され、ｎはシンボル速度に応じて変化する。図１６(a)に、シンボルレート(ksps)と１スロット当たりのビット数ｎと１フレーム当たりのデータ長Ｎm（=15×n)の対応を示す。データ部DPDCHには１以上のトランスポートチャネルのデータを多重して送信する。例えば、音声データを重要度が高い音声データ部分と重要度が低い音声データ部分に分け、１フレーム当たり所定のビット数をそれぞれに割り当てて異なるトランスポートチャネルで送信するものとし、これら各トランスポートチャネルのデータをデータ部に多重して伝送する。
【０００７】
制御データを送信するDPCCH(Qチャンネル)の各スロットは10ビットで構成され（図１５参照）、シンボル速度は15ksps一定であり、パイロットPILOT、送信電力制御データTPC、トランスポート・フォーマット・コンビネーション・インジケータTFCI、フィードバック情報FBIを送信する。PILOT、TPC、TFCI、FBIのビット数は図１６(b)に示すように必要に応じて変更することができる。PILOTは受信側で同期検波したり、SIRを測定する際に利用するもの、TPCは送信電力制御に利用するもの、TFCIはデータのシンボル速度や１フレーム当たりのビット数、レペティションにより増加するビット数等を送信するもの、FBIは基地局における送信ダイバーシティを制御するものである。
【０００８】
図１７は基地局から移動局への下り信号のフレームフォーマット及びスロット構成説明図であり、1フレームは10msecで、15スロットＳ0〜Ｓ14で構成されている。各スロットはｋビットで構成され、ｋはシンボル速度に応じて変化する。又、各スロットは、第1データ部DATA1,第２データ部DATA2、パイロットPILOT、送信電力制御データTPC、トランスポート・フォーマット・コンビネーション・インジケータTFCI、フィードバック情報FBIを送信する。PILOT、TPC、TFCI、FBIのビット数は図１７(b)に示すようにシンボル速度に応じて変化し、又、同一シンボル速度であっても必要に応じて変化する。各スロットのデータは１ビットづつ交互にQPSK直交変調のIチャンネルとQチャンネルに振り分けられ、しかる後、拡散変調、直交変調を施され、周波数変換されて移動局に送信される。
【０００９】
図１６(a)、図１７(b)に示すようにシンボル速度等の接続方式により１フレーム当りに送信できるデータの最大ビット数(データ長Ｎm）は決まる。一方、伝送情報に誤り訂正符号処理を施して得られる誤り訂正符号長ＮCは伝送情報長ＮIにより変化し、ＮC＝Ｎmとならない。このため、図１８に示すようにＮC＜Ｎmとなれば、データを送信していない期間Ｓが発生する。又、複数のトランスポートチャンネルの伝送情報を多重する場合も各トランスポートチャネルの伝送情報の長さの和は通常最大データ長Ｎmと一致せず、データを送信していない期間が発生する。
【００１０】
このデータを送信していない期間を有効に利用するためにレペティション処理を施し、誤り訂正符号列（データ列）の一部ビットを繰り返し送信し、トータルの伝送情報長を最大データ長Ｎmに一致させる。このレペティション処理によれば１ビット当りの送信エネルギーが増加し、受信側での誤り訂正能力を増大できる。
図１９(a),(b)はレペティション機能を備えた送受信系の構成図であり、(a)の送信系では誤り訂正符号器１とCDMA送信部２の間にレペティション処理部５を設けており、(b)の受信系ではCDMA受信部３と軟判定誤り訂正復号器４の間にレペティション再生器６を設けている。
【００１１】
送信系において、誤り訂正符号器１は伝送情報に誤り訂正処理を施して誤り訂正符号化し、レペティション処理部５はレペティションアルゴリズムにしたがって誤り訂正符号に対してレペティション処理を施す。このレペティション処理により、図２０に示すように、誤り訂正符号系列の一部がレペティションを行った後の系列の中に複数回現われるようになる。図２０の例では第２、第５、第８、第１１、第１４ビット...が繰り返されている。CDMA送信部２はレペティション処理後のデータを拡散変調して送信する。
受信系において、CDMA受信部３は受信信号を復調し、所定ビット幅をもった軟判定データ列Ａ（図２１参照）としてレペティション再生器６に入力する。レペティション再生器６はレペティションアルゴリズムを実行してレペティション処理により複数回送られているビット（第２、第５、第８、第１１、第１４ビット．．．）を識別し、該ビットに対応する軟判定データを加算して、元の誤り訂正符号系列に応じた軟判定データ系列Ｂに変換する。尚、軟判定データは符号ビットと軟判定ビットで構成されている。以後、軟判定誤り訂正復号器４はレペティション再生器６から出力する軟判定データ列Ｂを用いて誤り訂正復号処理を行って誤り訂正符号化前の原データ列を復元する。
【００１２】
レペティション処理部５、レペティション再生器６はそれぞれ以下のレペティションアルゴリズムを実行する。ただし、アルゴリズム中のパラメータは以下の通りである。
(1) N:レペティションを施す前のデータのビット数
(2) △N:レペティションにより繰り返されるビット数
(3) (N+△N):レペティション後のデータのビット数
(4) ｅ:アルゴリズム中で更新されるエラーパラメータ(このエラーeを判定することでビットを繰り返すか否かを決定する)
(5) ｅini:エラーｅの初期値を決定するパラメータ
(6) ｅplus:エラーｅが０以下になって所定のビットを繰り返した場合、エラーｅに加算する定数(ｅplus＝a・N)
(7) ｅminus:エラーｅを更新する際に用いる定数(eminus=a・△N)
(8) ａ:ｅplus,ｅminusを決定する際に用いるパラメータで例えばa=2
すなわち、レペティションアルゴリズムは、上記N,△N,eini,eplus,eminusの5つのパラメータを与えることにより実行可能になり、レペティションビットを決めることができる。
【００１３】
レペティションアルゴリズム:
0003857488.tif 000003
レペティションアルゴリズムの具体例として、トランスポートチャネルの多重数が１、誤り訂正符号のデータ長Nが216ビット、レペティション後のデータ長(N+ΔN)が240ビットの例を、図２２〜図２６に示す。レペティションに用いるパラメータは、N=216,△N=24,eini=1,eplus=432,eminus=48である。図２２〜図２６よりわかるようにエラーｅが48づつ減算されて負になったときのビットが繰り返され、図では1, 10, 19, 28,...,208ビットが繰り返される。
【００１４】
【発明が解決しようとする課題】
以上のように、レペティション再生器６（図１９）は、レペティションにより繰り返し送られてくるビットを加算して、元の誤り訂正符号系列に応じた軟判定データ列を発生するが、図２１より明らかなように、加算により、軟判定データのビット幅が１ビット増加する。図２１の例では、レペティション再生前は軟判定ビット数は符号ビットを含めて５ビットであったのが、レペティション再生後は符号ビットを含めて６ビットとなる。このように誤り訂正復号器４に入力する軟判定データのビット幅が増加すると、畳み込み復号あるいはターボ復号を行う誤り訂正復号器の回路規模が大きくなる。
そこで、誤り訂正復号器４の回路規模を大きくしないために、レペティション再生器６から出力する軟判定データのビット幅を削減して誤り訂正復号器に入力する方法がある。この方法では、レペティション再生器６が発生する(符号+（ｍ＋１）ビット)の軟判定データより（符号+上位のｍビット)あるいは(符号ビット+下位のｍビット)を切り取って軟判定誤り訂正復号器４に入力する。図２１の例では、軟判定データ列Ｂの（符号＋上位４ビット）を軟判定誤り訂正復号器４に入力する場合(1)、あるいは、（符号＋下位４ビット）を軟判定誤り訂正復号器４に入力する場合(2)である。
【００１５】
しかし、レペティションレートＲr（=(N+ΔN)/N）に関わらず同じビット位置から軟判定データ部分を切り取ってビット削減を行うと、誤り訂正復号器４における誤り訂正率の劣化量が大きくなる問題がある。図２７はレペティションレートと特性劣化量の関係を示す図であり、上位ｍビットを選択する(1)の場合には、レペティションレートＲrが小さいと誤り訂正の特性劣化が大きくなり、下位ｍビットを選択する(2)の場合には、レペティションレートＲrが大きくなると誤り訂正の特性劣化が大きくなる。
これは、以下の理由によるものである。レペティションレートＲrの大小に応じて信号の大きさとその割合の分布は図２８に示すようになり、レペティションレートが大きくなる程最上位ビットが有効となる割合が大きくなる(斜線部参照)。換言すれば、レペティションレートＲrが大きくなるにしたがって下位ｍビットでレペティション再生器から出力する軟判定データを正確に表現できなくなり、一方、上位ｍビットで正確に表現できるようになる。この結果、レペティションレートＲrが大きくなると最上位ビットが有効の場合が多くなり、レペティションレートＲrが小さいと最上位ビットが無効の場合が多くなり、図２７に示す傾向を示すのである。
以上から本発明の目的は、レペティション再生後の軟判定データのビット幅を削減でき、しかも、ビット幅削減による誤り訂正の特性劣化を抑制することである。
【００１６】
【課題を解決するための手段】
本発明の誤り訂正装置において、(1) レペティション再生器は、レペティション処理により繰り返し送信されたビット位置を求め、該ビット位置に応じた軟判定データを加え合わせて元の誤り訂正符号列に応じた軟判定データ列を発生し、(2) レペティションレート算出部は、レペティション処理を施された受信信号のレペティションレートを算出し、(3) 軟判定データ切り取り位置決定部は、レペティション再生器が発生する軟判定データよりレペティションレートに基づいて軟判定誤り訂正復号器に入力する軟判定データ部分の切り取り位置を決定し、(4) 軟判定データ切り取り手段は、決定された切り取り位置より軟判定データ部分を切り取って軟判定誤り訂正復号器に入力する。この場合、レペティションレート算出部は、通信先より通知されるレペティションを施す前のデータビット数Ｎ、レペティションにより繰り返されるビット数ΔＮに基づいて、レペティションレートＲr＝(N+ΔN)/Nを計算する。又、レペティション再生器は、通信先より通知されるレペティションを施す前のデータビット数Ｎ、レペティションにより繰り返されるビット数ΔＮに基づいて、レペティションアルゴリズムを実行して送信側よりレペティション処理により繰り返し送信されたビット位置を求める。
【００１７】
所定レペティションレートＲTH（図２参照）を境界にして軟判定データ部分の切り取り位置により特性劣化量の大小が逆転する。すなわち、実際のレペティションレートＲrがＲTH以下では（Ｒr≦ＲTH）、第１の切り取り位置より軟判定データを切り取った方が特性劣化量は小さくなるが、ＲTHより大きくなると（Ｒr＞ＲTH）、第２の切り取り位置より軟判定データを切り取った方が特性劣化量は小さくなる。本発明では、レペティションレートに基づいて軟判定データの切り取り位置を切り替えることにより特性劣化を抑えることができる。
【００１８】
本発明の別の誤り訂正装置において、(1) レペティション再生器は、レペティション処理により繰り返し送信されたビット位置を求め、該ビット位置に応じた軟判定データを加え合わせて元の誤り訂正符号列に応じた軟判定データ列を発生し、(2) 平均値算出部は、レペティション再生器が出力する軟判定データの平均値を算出し、(3) 軟判定データ切り取り位置決定部は、レペティション再生器が出力する軟判定データより前記平均値に基づいて軟判定誤り訂正復号器に入力する軟判定データ部分の切り取り位置を決定し、(4) 軟判定データ切り取り手段は、決定された切り取り位置より軟判定データ部分を切り取って軟判定誤り訂正復号器に入力する。
所定の平均値ＶTHを境界にして、軟判定データ部分の切り取り位置により特性劣化量の大小が逆転する。すなわち、実際の平均値ＶaがＶTH以下では（Ｖa≦ＶTH）、第１の切り取り位置より軟判定データを切り取った方が特性劣化量は小さくなるが、ＶTHより大きくなると（Ｖa＞ＶTH）、第２の切り取り位置より軟判定データを切り取った方が特性劣化量は小さくなる。本発明では、レペティション再生器が出力する軟判定データの平均値に基づいて軟判定データの切り取り位置を切り替えることにより特性劣化を抑えることができる。
【００１９】
【発明の実施の形態】
（Ａ）第１実施例の概略
図１は本発明の第１実施例概略構成図である。
CDMA受信部５１は受信信号に対して復調、逆拡散、レーク合成などの処理を行ってｍ(=5)ビットの軟判定データ（符号ビット+4軟判定ビット)を出力する。レペティション再生器５３は、レペティションの再生アルゴリズムにより、繰り返し送信されたビット位置を求め、該ビット位置に応じた軟判定データを加え合わせて元の誤り訂正符号列に応じた(m+1)(=6)ビットの軟判定データ列を発生する。軟判定データ取り出し位置制御部５４におけるしきい値判定部６３は、受信信号のレペティションレートＲrと予め設定されているレペティションレートＲTHの大小を判別し、判別結果を軟判定データ切り取り位置決定部６４に入力する。
【００２０】
軟判定データ切り取り位置決定部６４は、(1)Ｒr＞ＲTHであれば、符号ビットと上位(m-1)ビットを切り取るようにビット選択部６５に指示すると共に、(2) Ｒr≦ＲTHであれば、符号ビットと下位(m-1)ビットを切り取るようにビット選択部６５に指示する。ビット選択部６５は該指示により、(1) Ｒr＞ＲTHであれば、レペティション再生器５３が発生する(m+1)ビットの軟判定データより符号ビットと上位(m-1)ビットを切り取って軟判定誤り訂正復号器５５に入力し、(2) Ｒr≦ＲTHであれば、レペティション再生器５３が発生する(m+1)ビットの軟判定データより符号ビットと下位(m-1)ビットを切り取って軟判定誤り訂正復号器５５に入力する。軟判定誤り訂正復号器５５は入力された軟判定データに対して誤り訂正復号処理を施して誤り訂正符号化前の原データ列を復元する。
【００２１】
ｍ＝５の場合、レペティションレートと特性劣化量の関係は図２に示すようになる。すなわち、レペティション再生器５３より上位(m-1)(=4)ビットを選択する(1)の場合、レペティションレートＲrが小さいと誤り訂正の特性劣化が大きくなり、下位(m-1)ビットを選択する(2)の場合、レペティションレートＲrが大きくなると誤り訂正の特性劣化が大きくなる。そこで、両特性が交差するときのレペティションレートをしきい値ＲTHとして設定し、実際のレペティションレートＲrとしきい値ＲTHの大小に基づいて切り取り位置を切り替える。例えば、図３に示すように、実際のレペティションレートＲrがＲTHより大きければ（Ｒr＞ＲTH）、符号ビットと上位４ビットを切り取って軟判定誤り訂正復号器５５に入力し、Ｒr≦ＲTHであれば、符号ビットと下位４ビットを切り取って軟判定誤り訂正復号器５５に入力する。
このように、レペティションレートＲrに基づいて軟判定データの切り取り位置を切り替えることにより特性劣化を小さく抑えることができる。
【００２２】
（Ｂ）第２実施例の概略
図４は本発明の第２実施例概略構成図である。
CDMA受信部５１は受信信号に対して復調、逆拡散、レーク合成などの処理を行ってｍ(=5)ビットの軟判定データ（符号ビット+4軟判定ビット)を出力する。レペティション再生器５３は、レペティションの再生アルゴリズムにより、繰り返し送信されたビット位置を求め、該ビット位置に応じた軟判定データを加え合わせて元の誤り訂正符号列に応じた(m+1)(=6)ビットの軟判定データ列を発生する。軟判定データ取り出し位置制御部５４における平均値算出部６２は、レペティション再生器から出力する軟判定データの平均値Ｖaを算出し、しきい値判定部６３は該平均値Ｖaと予め設定されている平均値ＶTHの大小を判別し、判別結果を軟判定データ切り取り位置決定部６４に入力する。
【００２３】
軟判定データ切り取り位置決定部６４は、(1)Ｖa＞ＶTHであれば、符号ビットと上位(m-1)ビットを切り取るようにビット選択部６５に指示すると共に、(2) Ｖa≦ＶTHであれば、符号ビットと下位(m-1)ビットを切り取るようにビット選択部６５に指示する。ビット選択部６５は該指示により、(1) Ｖa＞ＶTHであれば、レペティション再生器５３が発生する(m+1)ビットの軟判定データより符号ビットと上位(m-1)ビットを切り取って軟判定誤り訂正復号器５５に入力し、(2) Ｖa≦ＶTHであれば、レペティション再生器５３が発生する(m+1)ビットの軟判定データより符号ビットと下位(m-1)ビットを切り取って軟判定誤り訂正復号器５５に入力する。軟判定誤り訂正復号器５５は入力された軟判定データに対して誤り訂正復号処理を施して誤り訂正符号化前の原データ列を復元する。
【００２４】
レペティションレートが大きくなれば軟判定データの平均値が大きくなり、レペティションレートが小さくなれば軟判定データの平均値が小さくなる（図２８参照）。このため、第１実施例のレペティションレートを平均値で置き換えることができる。すなわち、図２の両特性が交差するときのレペティションレートＲTHに応じた軟判定データの平均値をしきい値ＶTHとして設定し、実際の平均値Ｖaとしきい値ＶTHの大小に基づいて軟判定データの切り取り位置を切り替える。例えば、図５に示すように、実際の平均値ＶaがＶTHより大きければ（Ｖa＞ＶTH）、符号ビットと上位４ビットを切り取って軟判定誤り訂正復号器５５に入力し、Ｖa≦ＶTHであれば、符号ビットと下位４ビットを切り取って軟判定誤り訂正復号器５５に入力する。
このように、レペティション再生器５３から出力する軟判定データの平均値 Ｖaに基づいて軟判定データの切り取り位置を切り替えることにより第１実施例と同様に特性劣化を小さく抑えることができる。
【００２５】
（Ｃ）第１実施例
（ａ）構成
図６は本発明に第１実施例の誤り訂正装置の構成図であり、図１と同一部分には同一符号を付している。CDMA受信機５１は図１４で説明したと同様の構成を備えている。すなわち、CDMA受信機５１は、アンテナ５０により受信した高周波信号を増幅すると共に高周波信号をベースバンド信号に周波数変換して出力する無線部５１ａ、ベースバンド信号に直交検波処理を施す直交検波器（復調器）５１ｂ、直交検波出力信号（Ｉ成分、Ｑ成分）をＡＤ変換するＡＤ変換器５１ｃ、直交検波されたＩ，Ｑ成分に逆拡散処理を施す逆拡散部５１ｄ、パイロット信号を用いて逆拡散データに同期検波処理を施す同期検波部５１ｅ、マルチパスの各パスに応じた同期検波出力信号を合成し、合成結果を32ビットの軟判定データとして出力するRAKE合成部５１ｆを有している。
【００２６】
ALC(Automatic Level Controller)回路５２はRAKE合成部５１ｆから入力する軟判定データの平均値Ｖavrを計算し、該平均値Ｖavrに応じた軟判定部分を切り取ってレペティション再生器５３に入力する。ALC回路５２において、記憶部５２ａはRAKE合成部５１ｆより出力する１フレームの軟判定データを保存し、平均値算出部５２ｂは例えば１フレーム分の軟判定データの平均値Ｖavrを演算し、軟判定データ切り取り位置決定部５２ｃは、ビット数を削減しても元の軟判定データを忠実に表現できるように、平均値Ｖavrに基づいて軟判定データ部分の切り取り位置を決定する。ビット選択部５２ｄは記憶部５２ａより順番に32ビットの軟判定データを読み出し、前記決定された切り取り位置より5ビット（符号ビット＋４軟判定ビット）の軟判定データを切り取ってレペティション再生器５３に入力する。ビット切り取り位置は、例えば図７に示すように、２進数の平均値Ｖavrにおいて“１”である最上位ビット位置が、4軟判定ビットの第３ビット目となるように切り取り位置を決定する。
【００２７】
レペティション再生器５３は、レペティション処理により繰り返し送信されたビット位置を求め、該ビット位置に応じた軟判定データを加え合わせて元の誤り訂正符号列に応じた６ビットの軟判定データ列を発生する。図８(a)はレペティション再生器５３の構成例であり、図８(b)は入力信号セレクト条件説明図である。レペティションアルゴリズム実行部５３ａは、別途与えられるN（レペティション前の１フレーム当りのビット数）、ΔN(レペティションにより増加するビット数)を用いてレペティションアルゴリズムを実行し、繰り返し送信されたビット位置でリピート信号RIS="1"を出力する。レジスタ５３ｂはALC回路５２から出力する軟判定データＡを記憶し、加算器５３ｃは前回と今回の軟判定データを加算する。セレクタ５３ｄは、(1) 前回も今回もRIS=“0”であれば（“0”→“0”）、軟判定データＡを６ビットデータにして出力し、(2) 今回RIS=“1”であれば何も出力せず、(3) 前回RIS=“1”、今回RIS=“0”であれば(“1”→“0”）、６ビットの加算結果Ｂを選択して出力する。尚、加算処理、セレクト処理を含めてソフト的にレペティション再生器５３を構成することも可能である。
【００２８】
図６に戻って、軟判定データ取り出し位置制御部５４はレペティション再生器５３が発生する６ビットの軟判定データよりレペティションレートＲrに基づいて５ビットの軟判定部分を切り取って軟判定誤り訂正復号器５５に入力する。軟判定データ取り出し位置制御部５４において、変換テーブル６１は、TFCI解析結果(例えば番号)に対応させて、N（レペティション前の１フレーム当りのビット数）、ΔN(レペティションにより増加するビット数)を記憶するもので、通信開始前のネゴシエーションにおいて通信相手から送られてくる情報に基づいて作成される。
DSP（ディジタル・シグナル・プロセッサ)６２は、(1) TFCIビットを１フレーム分つなぎ合わせて解析し、解析したTFCI(番号)と前記変換テーブル６１を参照して送信側のレペティション処理で用いたN,ΔNを求め、(2) これらをレペティション再生器５３に入力すると共に、(3) 次式
Ｒr＝(N+ΔN)/N
によりレペティションレートＲrを計算して出力する。尚、ネゴシエーション時におけるN、ΔNは予め固定されている。又、N、ΔNは通信中に変更可能であり、送信側はTFCIビットでN、ΔNに応じた番号を送信し、受信側DSPは該番号を識別して上記処理を行う。
【００２９】
しきい値判定部６３は、受信信号のレペティションレートＲrと予め設定されているレペティションレートＲTHの大小を判別し、判別結果を軟判定データ切り取り位置決定部６４に入力する。軟判定データ切り取り位置決定部６４は、Ｒr＞ＲTHであれば、符号ビットと上位4ビットを切り出すようにビット選択部６５に指示すると共に、Ｒr≦ＲTHであれば、符号ビットと下位4ビットを切り出すようにビット選択部６５に指示する。
ビット選択部６５は、該指示により、
(1) Ｒr＞ＲTHであれば、レペティション再生器５３が発生する6ビットの軟判定データより符号ビットと上位4ビットを切り取って軟判定誤り訂正復号器５５に入力し、
(2) Ｒr≦ＲTHであれば、レペティション再生器５３が発生する6ビットの軟判定データより符号ビットと下位4ビットを切り取って軟判定誤り訂正復号器５５に入力する。
【００３０】
軟判定誤り訂正復号器５５は入力された軟判定データに対して誤り訂正復号処理を施して誤り訂正符号化前の原データ列を復元する。接続設定部５６は、通信開始前のネゴシエーションにおいて送信側から送られてくる情報に基づいて変換テーブル６１を作成する。TFCI検出部５７はTFCIビットを検出し、該TFCIビットをDSP ６２に送出する。
【００３１】
（ｂ）動作
通信開始前のネゴシエーション時、DSP ６２はN、ΔNとして予め設定されているN0,ΔN0をレペティション再生器５３に入力すると共に、N0,ΔN0を用いて算出したレペティションレートＲr0をしきい値判定部６３に入力する。CDMA受信機５１は受信信号を32ビットの軟判定データ列として出力し、ALC回路５２は軟判定データの平均値Ｖavrに応じた切り取り位置から5ビットの軟判定データ部分を切り取ってレペティション再生器５３に入力する。レペティション再生器５３は、N0,ΔN0に基づいてレペティションの再生アルゴリズムを実行して繰り返し送信されたビット位置を求め、該ビット位置に応じた軟判定データを加え合わせて元の誤り訂正符号列に応じた6ビットの軟判定データ列を発生する。軟判定データ取り出し位置制御部５４はレペティションレートＲr0と予め設定されているレペティションレートＲTHの大小に基づいて、すなわち、前述の(1),(2)にしたがって、符号ビットと上位４ビットあるいは符号ビットと下位４ビットを切り取って軟判定誤り訂正復号器５５に入力する。軟判定誤り訂正復号器５５は入力された軟判定データに対して誤り訂正復号処理を施して復号データを出力する。接続設定部５６は復号データより変換テーブル６１を作成して軟判定データ取り出し位置制御部５４に設定する。
【００３２】
ネゴシエーション終了後、DSPはTFCIビットで送られてくる番号に応じたN、ΔNを求めてレペティション再生器５３に入力すると共に、N、ΔNによりレペティションレートＲrを演算してしきい値判定部６３に入力する。CDMA受信機５１は受信信号を32ビットの軟判定データ列として出力し、ALC回路５２は軟判定データの平均値Ｖavrに応じた切り取り位置から5ビットの軟判定データ部分を切り取ってレペティション再生器５３に入力する。レペティション再生器５３は、前記入力されたN,ΔNに基づいてレペティションアルゴリズムを実行し、繰り返し送信されたビット位置を求め、該ビット位置に応じた軟判定データを加え合わせて元の（レペティション前の）誤り訂正符号列に応じた6ビットの軟判定データ列を発生する。軟判定データ取り出し位置制御部５４は前記算出されたレペティションレートＲrと予め設定されているレペティションレートＲTHの大小に基づいて、符号ビットと上位４ビットあるいは符号ビットと下位４ビットを切り取って軟判定誤り訂正復号器５５に入力する。軟判定誤り訂正復号器５５は入力された軟判定データに対して誤り訂正復号処理を施して復号データを出力する。
【００３３】
以上と並行して、TFCI検出部５７はTFCIビットを検出してDSP ６２に入力する。DSP ６２はTFCIビットを１フレーム分つなぎ合わせて解析し、解析したTFCI(番号)と変換テーブル６１を参照してN,ΔNを求める。N,ΔNがそれまでの値と異なれば、DSP ６２は新たなN,ΔNをレペティション再生器５３に入力すると共に、新たなレペティションレートＲrを演算してしきい値判定部６３に入力する。以後、CDMA受信機５１、ALC回路５２、レペティション再生器５３、軟判定データ取り出し位置制御部５４、軟判定誤り制定復号器５５は、上記と同様の動作を行う。
第１実施例によれば、レペティションレートＲrに基づいて軟判定データの切り取り位置を切り替えることにより特性劣化を小さく抑えることができる。
【００３４】
（ｃ）変形例
図９は第１実施例の変形例であり、図６の第１実施例と同一部分には同一符号を付している。異なる点は、
(1) ALC回路５２がRAKE合成部５１ｆから出力する32ビットの軟判定データのビット削減を行わない点、
(2) 32ビットの軟判定データの平均値Ｖavr演算完了後、レペティション再生器５３は記憶部５２ａより順番に32ビットの軟判定データを読み出し、レペティション再生処理を実行して33ビットの軟判定データにして出力する点、
(3) レペティションレートＲrと設定値ＲTHの大小関係並びに平均値演算部５２ｂから出力する軟判定データの平均値Ｖavrとに基づいて、軟判定データ切り取り位置決定部６４は軟判定データ部分（４軟判定ビット）の切り取り位置を決定する点、
(4) ビット選択部６５は、レペティション再生器５３から出力する33ビットの軟判定データのうち前記決定された切り取り位置より5ビットの軟判定データ(=符号ビット+4軟判定ビット)を切り取って出力する点、
である。
【００３５】
軟判定データ切り取り位置決定部６４は、(1) Ｒr≦ＲTHであれば、２進数の平均値Ｖavrにおいて“１”である最上位ビット位置が4軟判定ビットの第３ビット目となるように切り取り位置を決定し、(2) Ｒr＞ＲTHであれば、２進数の平均値Ｖavrにおいて“１”である最上位ビット位置が4軟判定ビットの第２ビット目となるように切り取り位置を決定する。
変形例によれば、レペティションレートＲrに基づいて軟判定データの切り取り位置を切り替えることにより特性劣化を小さく抑えることができ、しかも、回路構成を簡単化できる。
【００３６】
（Ｄ）第２実施例
図１０は本発明の第２実施例の誤り訂正装置の構成図であり、図６の第１実施例と同一部分には同一符号を付している。異なる点は、
(1) DSP ６２がレペティション再生器５３から出力する６ビットの軟判定データの平均値Ｖaを演算する点、
(2) １フレーム分の軟判定データを記憶する記憶部６６を軟判定データ取り出し位置制御部５４に設けた点、
(3) しきい値判定部６３は平均値Ｖaと予め設定されているしきい値ＶTHの大小を比較する点、
(4) 軟判定データ切り取り位置決定部６４は、平均値Ｖaとしきい値ＶTHの大小に基づいて5ビットの軟判定データ(=符号ビット+4軟判定ビット)の切り取り位置を決定する点である。
【００３７】
CDMA受信機５１は受信信号を32ビットの軟判定データ列として出力し、ALC回路５２は軟判定データの平均値Ｖavrに応じた切り取り位置から5ビットの軟判定データ部分を切り取ってレペティション再生器５３に入力する。レペティション再生器５３はレペティションアルゴリズムを実行し、繰り返し送信されたビット位置を求め、該ビット位置に応じた軟判定データを加え合わせて元の（レペティション前の）誤り訂正符号列に応じた6ビットの軟判定データ列を出力する。
軟判定データ取り出し位置制御部５４の記憶部６６はレペティション再生器５３から出力する軟判定データを順番に記憶し、DSP ６２は該軟判定データの１フレーム分の平均値Ｖaを演算する。
【００３８】
１フレーム分の平均値Ｖaの演算が完了すれば、しきい値判定部６３は該平均値Ｖaとしきい値ＶTHの大小を比較し、比較結果を軟判定データ切り取り位置決定部６４に入力する。軟判定データ切り取り位置決定部６４は、Ｖa＞ＶTHであれば、符号ビットと上位4ビットを切り出すようにビット選択部６５に指示すると共に、Ｖa≦ＶTHであれば符号ビットと下位4ビットを切り出すようにビット選択部６５に指示する。
ビット選択部６５は該指示により、Ｖa＞ＶTHであれば記憶部６６より順番に6ビットの軟判定データを読み出し、符号ビットと上位4ビットを切り取って軟判定誤り訂正復号器５５に入力し、(2) Ｖa≦ＶTHであれば符号ビットと下位4ビットを切り取って軟判定誤り訂正復号器５５に入力する。
軟判定誤り訂正復号器５５は入力された軟判定データに対して誤り訂正復号処理を施して誤り訂正符号化前の原データ列を復元する。
以上のように、レペティション再生器５３から出力する軟判定データの平均値Ｖaに基づいて軟判定データの切り取り位置を切り替えることにより特性劣化を小さく抑えることができる。
【００３９】
図１１は第２実施例の変形例であり、図１０の第１実施例と同一部分には同一符号を付している。第２実施例と異なる点は、
(1) ALC回路５２を削除した点、
(2) レペティション再生器５３がCDMA受信機より出力する32ビットの軟判定データに直接レペティション再生処理を施して33ビットの軟判定データにして出力する点、
(3) DSP ６２が、レペティション再生器５３から出力する33ビットの軟判定データ平均値Ｖaを出力する点、
(4) 軟判定データ切り取り位置決定部６４は平均値Ｖa、該平均値Ｖaと設定値ＶTHの大小関係とに基づいて、軟判定データ部分（４軟判定ビット）の切り取り位置を決定する点、
(5) ビット選択部６５は、レペティション再生器５３から出力する33ビットの軟判定データのうち前記決定された切り取り位置より5ビットの軟判定データ(=符号ビット+4軟判定ビット)を切り取って出力する点、
である。
【００４０】
軟判定データ切り取り位置決定部６４は、(1) Ｖa≦ＶTHであれば、２進数の平均値Ｖaにおいて“１”である最上位ビット位置が4軟判定ビットの第３ビット目となるように切り取り位置を決定し、(2) Ｖa＞ＶTHであれば、２進数の平均値Ｖavrにおいて“１”である最上位ビット位置が4軟判定ビットの第２ビット目となるように切り取り位置を決定する。
変形例によれば、軟判定データの平均値に基づいて軟判定データ部分の切り取り位置を切り替えることにより特性劣化を小さく抑えることができ、しかも、回路構成を簡単化できる。
以上、本発明を実施例により説明したが、本発明は請求の範囲に記載した本発明の主旨に従い種々の変形が可能であり、本発明はこれらを排除するものではない。
【００４１】
【発明の効果】
以上本発明によれば、レペティションレートに基づいて軟判定データ部分（例えば４軟判定ビット）の切り取り位置を切り替えるようにしたから、レペティションレートに起因する特性劣化を抑えることができる。
又、本発明によれば、レペティションレートに基づいてレペティション再生器から出力する軟判定データのビット数を減少して軟判定誤り訂正復号器が扱えるビット数の軟判定データに変換するから、軟判定誤り訂正復号器の回路規模の増大を防止することができる。
又、本発明によれば、CDMA受信機から出力する軟判定データの平均値並びにレペティションレートとしきい値の大小関係とに基づいて、切り取り位置を決定し、該位置より軟判定データ部分（４軟判定ビット）を切り取ってビット削減するから、全体の回路規模を縮小することができる。
【００４２】
本発明によれば、軟判定データの平均値に基づいて軟判定データ部分（例えば４軟判定ビット）の切り取り位置を切り替えるようにしたから、レペティションレートに起因する特性劣化を抑えることができる。
又、本発明によれば、軟判定データの平均値に基づいてレペティション再生器から出力する軟判定データのビット数を減少して軟判定誤り訂正復号器が扱えるビット数の軟判定データに変換するから、軟判定誤り訂正復号器の回路規模の増大を防止することができる。
又、本発明によれば、CDMA受信機から出力する軟判定データの平均値並びに該平均値としきい値の大小関係とに基づいて、切り取り位置を決定し、該位置より軟判定データ部分（４軟判定ビット）を切り取ってビット削減するから、全体の回路規模を縮小することができる。
【図面の簡単な説明】
【図１】第１実施例の誤り訂正措置の概略構成である。
【図２】レペティションレートと特性劣化の関係図である。
【図３】第１実施例のレペティションの再生と軟判定ビットの選択説明図である。
【図４】第２実施例の誤り訂正装置の概略構成である。
【図５】第２実施例のレペティションの再生と軟判定ビットの選択説明図である。
【図６】第１実施例の誤り訂正装置の構成図である。
【図７】軟判定データ部分の切り取り位置説明図である。
【図８】レペティション再生器の説明図である。
【図９】第１実施例の誤り訂正装置の変形例である。
【図１０】第２実施例の誤り訂正装置の構成図である。
【図１１】第２実施例の誤り訂正装置の変形例である。
【図１２】従来の送受信系の簡単な構成図である。
【図１３】  CDMA送信機の構成図である。
【図１４】  CDMA受信機の構成図である。
【図１５】上りリンクのフレームフォーマット説明図である。
【図１６】上りリンクのデータチャネル、コントロールチャネルの構成説明図である。
【図１７】下りリンクのフレームフォーマット、スロット構成説明図である。
【図１８】レペティションの必要性説明図である。
【図１９】従来の送受信系の別の構成図である。
【図２０】レペティション説明図である。
【図２１】レペティション再生の説明図である。
【図２２】レペティションアルゴリズムによるレピートビットの第１説明図表である。
【図２３】レペティションアルゴリズムによるレピートビットの第２説明図表である。
【図２４】レペティションアルゴリズムによるレピートビットの第３説明図表である。
【図２５】レペティションアルゴリズムによるレピートビットの第４説明図表である。
【図２６】レペティションアルゴリズムによるレピートビットの第５説明図表である。
【図２７】レペティションレートと特性劣化量の関係図である。
【図２８】レペティション再生前後の軟判定情報の分布説明図である。
【符号の説明】
５１・・CDMA受信部
５３・・レペティション再生器
５４・・軟判定データ取り出し位置制御部
５５・・軟判定誤り訂正復号器
６３・・しきい値判定部
６４・・軟判定データ切り取り位置決定部
６５・・ビット選択部６５
【図１】
0003857488.tif 000004
【図２】
0003857488.tif 000005
【図３】
0003857488.tif 000006
【図４】
0003857488.tif 000007
【図５】
0003857488.tif 000008
【図６】
0003857488.tif 000009
【図７】
0003857488.tif 000010
【図８】
0003857488.tif 000011
【図９】
0003857488.tif 000012
【図１０】
0003857488.tif 000013
【図１１】
0003857488.tif 000014
【図１２】
0003857488.tif 000015
【図１３】
0003857488.tif 000016
【図１４】
0003857488.tif 000017
【図１５】
0003857488.tif 000018
【図１６】
0003857488.tif 000019
【図１７】
0003857488.tif 000020
【図１８】
0003857488.tif 000021
【図１９】
0003857488.tif 000022
【図２０】
0003857488.tif 000023
【図２１】
0003857488.tif 000024
【図２２】
0003857488.tif 000025
【図２３】
0003857488.tif 000026
【図２４】
0003857488.tif 000027
【図２５】
0003857488.tif 000028
【図２６】
0003857488.tif 000029
【図２７】
0003857488.tif 000030
【図２８】
0003857488.tif 000031